(57)【要約】【課題】一枚の薄金属板の中間部分を帯板部１とし、先端側を折曲して立上げて雪止め部２とし、後端側に屋根装着部３を形成した雪止め金具において、落雪防止機能を向上させた金具を提供する。【解決手段】雪止め部２の上方部分を直立した雪止め板部２１に形成し、上方部分を後方に傾斜させて上方傾斜板部２２に形成して、積雪量が雪止め部を越える程の積雪となった場合に、当該積雪は一つの塊状となって雪止め板部を押圧し、帯板部１が撓んでも、傾斜板部２２が雪塊（積雪Ａ）に食い込んだ状態で支持する。【選択図】図１
2009114812.tif 000002
【特許請求の範囲】
【請求項１】
一枚の薄金属板の先端側を折曲して立上げて雪止め部とし、後端側に屋根装着部を形成した雪止め金具において、雪止め部の上方部分を直立した雪止め板部に形成し、上方部分を後方に傾斜させて上方傾斜板部に形成してなることを特徴とする屋根用雪止め金具。
【請求項２】
上方傾斜板部の傾斜角度を雪止め板部より３０度以上としてなる請求項１記載の屋根用雪止め金具。
【請求項３】
上方傾斜板部と雪止め板部の高さ方向長さを５〜２０ｍｍの範囲にしてなる請求項１又は２記載の屋根用雪止め金具。
【請求項４】
雪止め部と屋根装着部との間の帯板部を扇状に形成して、雪止め板部及び上方傾斜板部の幅を１００ｍｍ以上としてなる請求項１乃至３記載の何れかの屋根用雪止め金具。
【発明の詳細な説明】
【技術分野】
【０００１】
本発明は、一枚の薄金属板を加工して製造する屋根用雪止め金具に関するものである。
【背景技術】
【０００２】
一般にスレート葺き屋根に採用される雪止め金具として、特許文献１（実開昭５６−６１６３０号公報）に示されているとおり、一枚の薄金属板（帯板部０１）の先端側を折曲して立上げて雪止め板部０２とし、帯板部０１の基側に段部及び釘孔を形成して屋根装着部としたものであり、特に強度を高めるために雪止め板部０２及び雪止め板部０２と帯板部０１の折曲箇所（折曲部０３）に棟軒方向のリブ条部を形成しているものである。
【０００３】
また特許文献２（実開平４−４２５３４号公報）には、基側の屋根装着部に屋根板の棟側縁を上下に挟持する構造が開示されており、特許文献３（実開昭６４−２９２８号公報）には、係止溝を設ける構造が開示されている等、種々の屋根装着構造も提案されている。勿論前記の屋根装着構造に限定されるものではなく、１枚の薄金属板を加工して形成した雪止め金具は、スレート葺き屋根以外にも瓦葺屋根、トタン板葺き屋根（横葺き屋根）等にも対応できるものである。
【０００４】
また特許文献４（特開２００１−１４６８２４号公報）には、折曲部の強度を高めるために、折曲部の両側縁を折曲して補強リブ板部を形成する構造が開示されている。
【０００５】
【特許文献１】実開昭５６−６１６３０号公報。
【特許文献２】実開平４−４２５３４号公報。
【特許文献３】実開昭６４−２９２８号公報。
【特許文献４】特開２００１−１４６８２４号公報。
【発明の開示】
【発明が解決しようとする課題】
【０００６】
上記のとおり一枚の薄金属板を加工して形成した雪止め金具は、雪止め板部０２の補強並びに折曲部０３の補強としてリブ条部或いは補強リブ板部を備えたとしても、図４イに例示するとおり、屋根の積雪Ａが雪止め板部を越える高さまで積もった場合に、当該積雪Ａによる圧力が雪止め板部０２に加わると、たとえ折曲部０３を堅牢としても帯板部０１が撓み、雪止め板部０２が前傾する。
【０００７】
そうすると図４（イ）に示すように雪止め板部０２に添って斜め上方に移動する力が作用して積雪Ａが雪庇状となる。このため雪止め板部０２を越えると、越えた雪庇部分が分離して屋根から落下し危険なものとなる。
【０００８】
更に積雪Ａの一部は雪止め板部０２の横側からも屋根裾方に垂れ下がっていき、雪止め板部０２の左右上端部分を捲り倒すように作用すると共に、特に従前の雪止め金具が、雪止め板部０２が屋根装着部より多少幅広とした形状としているが、概ねその幅は幅５０ｍｍ前後であるため、雪止め板部０２の左右上端を徐々に曲げてゆき、前記の雪止め板部０２の上方を雪庇が超えた瞬間に、一気に雪止め板部０２を前方に煽り倒して落雪してしまう。
【０００９】
そこで本発明は、一枚の薄金属板を加工して製造する屋根用雪止め金具における雪止め板部の改良を提案したものである。
【課題を解決するための手段】
【００１０】
本発明に係る屋根用雪止め金具は、一枚の薄金属板の先端側を折曲して立上げて雪止め部とし、後端側に屋根装着部を形成した雪止め金具において、雪止め部を下方部分を直立した雪止め板部に形成し、雪止め部の上方部分を後方に傾斜させて傾斜板部に形成してなることを特徴とするものである。
【００１１】
而して前記金具は、屋根装着部の構造に対応した形式の屋根に装着されるものであって、積雪量が雪止め板部を越える程の積雪となった場合に、当該積雪は一つの塊状となって雪止め板部を押圧し、帯板部が撓んでも、傾斜板部が雪塊（積雪Ａ）に食い込んだ状態で支持することになり、雪庇を大きくすることがなく、また従前の金具と比較して雪止め板部を前方に煽り倒されことに対する耐久力も格段に向上する。
【００１２】
また本発明（請求項２）は、特に傾斜板部の傾斜角度を雪止め板部より３０〜９０度としてなるもので、３０度以下では、雪塊への食い込みが適切とならずに、雪庇が容易に形成されてしまう。
【００１３】
更に本発明（請求項３）は、傾斜板部と雪止め板部の高さ方向長さを５〜２０ｍｍの範囲にしてなるもので、傾斜板の長さ（高さ方向）を大きくすると、雪止めの有効高さが低くなり、傾斜板の長さを小さくすると雪塊への食い込みが少なくなり落雪防止効果が低下する。
【００１４】
また本発明（請求項４）は、雪止め部と屋根装着部との間の帯板部を扇状に形成して、雪止め板部及び上方傾斜板部の幅を１００ｍｍ以上としてなるもので、幅狭の従前金具より雪止め効果が発揮されるものである。
【発明の効果】
【００１５】
本発明の構成は上記のとおりで、一枚の金属板で形成した屋根用雪止め金具において、落雪防止効果が高められたと共に、金具強度も高められ、更に同一の落雪防止効果を備えた従前の金具の雪止め板部の高さに比較して、雪止め部を低くすることが出来るので、軒先方向から視認し難くなり、美感上も優れたものとなる。
【発明を実施するための最良の形態】
【００１６】
次に本発明の実施形態について説明する。実施形態に示した屋根用雪止め金具は、薄金属板（１ｍｍ厚のステンレス板が一般的）をプレス加工で折曲して形成したもので、ベース部となる帯板部１と、帯板部１の先部に形成された雪止め部２と、帯板部１の後端部分に形成した屋根装着部３を備えているものである。
【００１７】
帯板部１は、先部Ｌ１が１２０ｍｍ（１００〜１５０ｍｍの範囲が適する）の幅で後部Ｌ２が５０ｍｍ（４０〜６０ｍｍ程度が良い）の幅としたもので、長さは使用対象の屋根形状に応じて定められるもので、雪止め部の頂部に至るまでの複数のリブ条４を平行に設けているものである。
【００１８】
雪止め部２は、下方の雪止め板部２１と上方の傾斜板部２２で構成される。雪止め板部２１は、帯板部１の先端箇所から立ち上げたもので、高さＨ１は３６ｍｍ（２５〜４０ｍｍ程度）で、傾斜板部２２は、後方に４５度（３０〜９０度の範囲が良い）傾斜させていたもので、その高さ方向の長さＨ２は、１５ｍｍ（１０〜２５ｍｍの範囲）で、概ね傾斜板部２２と雪止め板部２１の高さ方向長さを５〜２０ｍｍの範囲とする。
【００１９】
屋根装着部３は、装着対象の構造に対応した形状で、段差部３１を設け、低段板部３２に釘孔３３を設けたものであるが、図５に例示するような折返し形状とした屋根装着部３ａのように屋根装着部の構造は任意である。
【００２０】
而して前記金具は、屋根装着部の構造に対応する屋根に装着して使用されるもので、積雪量が少ない場合には従前の金具と同様に屋根からの落雪を防止し、図４に例示するように、積雪量が雪止め部２を越える程の積雪となった場合に、当該積雪は一つの塊状となって雪止め部２を押圧し、帯板部１が撓んでも、傾斜板部２２が雪塊（積雪Ａ）に食い込んだ状態で支持することになる。
【００２１】
従って同様の積雪量の場合における従前金具に比較して、積雪Ａが雪止め部２を乗り越え難くしたもので、落雪防止機能が高められるものである。
【００２２】
また雪止め板部２１と傾斜板部２２の折曲構造によって、雪止め部２が従前の金具の雪止め板部０２に比較して強度が高められている。
【００２３】
更に雪止め部２の幅を従前の倍以上としたものであるから、落雪防止機能が向上し、また雪止め部２の高さを低く抑えることが出来たので、軒先側から金具が視認されず、屋根の美感も維持できるなどの種々の利点を有するものである。
【図面の簡単な説明】
【００２４】
【図１】本発明の実施形態の全体斜視図。
【図２】同平面図。
【図３】同雪止め部の寸法説明図。
【図４】同使用状態の説明図で、（イ）が従来例、（ロ）が本発明を示す。
【図５】同別例の全体斜視図。
【符号の説明】
【００２５】
１        帯板部
２        雪止め部
２１      雪止め板部
２２      傾斜板部
３，３ａ  屋根装着部
３１      段差部
３２      低段板部
３３      釘孔
４        リブ条
【図１】
2009114812.tif 000003
【図２】
2009114812.tif 000004
【図３】
2009114812.tif 000005
【図４】
2009114812.tif 000006
【図５】
2009114812.tif 000007